(57)【特許請求の範囲】
【請求項１】
ケース本体と、このケース本体に前方にスライドして封止される蓋体とからなる遊技機の基板ケースにおいて、
蓋体の先端には、前方に向けて突出する嵌合部を設けて、この嵌合部に、垂直基板の両端から後方に向けて係止片を突設した封止部材と、前記係止片の間に上方から嵌入されてこの係止片を横方向に拡開する押圧部材とを配設するとともに、
相手のケース本体には、嵌合部が差し込まれる封止室を設けて、この封止室内に、差し込まれた押圧部材を下方に押し下げるための上側突起と、押圧部材の押し下げによって拡開された係止片と噛み合って蓋体をスライド不能に封止するための段差とを設けたうえ、
前記押圧部材に、上側突起と係合可能な下側突起を設けて、この押圧部材を、下側突起が横向きの封止不可能状態から前向きの封止可能状態に切り替え可能なものとしたことを特徴とする遊技機の基板ケース。
【請求項２】
ケース本体と、このケース本体に前方にスライドして装着される蓋体とからなる遊技機の基板ケースにおいて、
ケース本体の一端には、後方に向けて突出する嵌合部を設けて、この嵌合部に、垂直基板の両端から前方に向けて係止片を突設した封止部材と、前記係止片の間に上方から嵌入されてこの係止片を横方向に拡開する押圧部材とを配設するとともに、
相手の蓋体には、嵌合部が差し込まれる封止室を設けて、この封止室内に、差し込まれた押圧部材を下方に押し下げるための上側突起と、押圧部材の押し下げによって拡開された係止片と噛み合って蓋体をスライド不能に封止するための段差とを設けたうえに、
前記押圧部材に上側突起と係合可能な下側突起を設けて、この押圧部材を、下側突起が横向きの封止不可能状態から前向きの封止可能状態に切り替え可能なものとしたことを特徴とする遊技機の基板ケース。
【請求項３】
封止部材の係止片の内側には、この係止片拡開用の突起を設け、
押圧部材には、係止片の間に上方から嵌め込み可能な側面を有する角形胴部を設けて、
下側突起が前向き状態のときの角形胴部の左右の側面には、上方に向けて浅くなる傾斜面を有する凹溝を設けるとともに、
下側突起が前向き状態のときの角形胴部の前後の側面には、突起収納用の長溝を設けたことを特徴とする請求項１又は２に記載の遊技機の基板ケース。
【請求項４】
嵌合部を、角柱が立設された底板を有するものとし、
押圧部材を、その中央部に角柱が挿通される孔部を有するものとしたうえに、
角柱には、位置決め用の面取り面を二つ設け、押圧部材の孔部には前記面取り面を摺動可能な角部を一つ設けて、
この角部を摺動させる面取り面を選択して角柱を孔部に差し込むことによって、押圧部材を横向きと前向きの２方向に切り替えて角柱に挿着可能とした請求項１〜３の何れかに記載の遊技機の基板ケース。
【請求項５】
押圧部材の角形胴部に、位置決め用の面取り面を二つ設け、
封止部材の垂直基板と封止片とのコーナーには、前記面取り面を摺動可能な角部を設けて、
この角部を摺動させる面取り面を選択して押圧部材を封止部材に差し込むことによって、押圧部材を横向きと前向きの２方向に切り替えて封止部材に挿着可能とした請求項１〜３の何れかに記載の遊技機の基板ケース。
【発明の詳細な説明】
【技術分野】
【０００１】
本発明は、回路基板を収納するための遊技機の基板ケースに関するものである。
【背景技術】
【０００２】
パチンコ機やスロットマシン等の遊技機においては、入賞確率が書き込まれたＲＯＭチップ等の電子部品を実装した回路基板が使われており、これら回路基板は、ケース本体とケース本体の開口部を覆う蓋とからなる基板ケースに収納されている。基板ケースには、内部にある回路基板に実装されているＲＯＭチップを交換して不当な利益を得ようとするのを防止するために、蓋を開けることができないようにするための封止構造が設けられている。
【０００３】
従来の封止機構を備えた基板ケースとして、例えば特許文献１に記載されたものが知られている。当該基板ケースは、上ケースと下ケースとを雄ネジによって螺着し、その後、前記雄ネジの上部を被服部で覆い、固定部でもって前期被服部を前記上ケースに着脱不可能に取り付けることにより基板ケースを封印し、前記被服部を破壊することでのみ前記封印を解除可能とするものである。これら被服部の予備は複数個備え付けられており、その個数分だけ開封してＲＯＭが改造されていないかどうかの検査を行った後に再度封印することが可能な構造になっている。
また、特許文献２に記載されている基板ケースは、第１封止金具と第２封止金具でもって封印する構造になっている。
【０００４】
しかしながら、前述した特許文献１に記載された基板ケースは、被覆する場所とは異なる基盤ケース内の離れた場所に予備の被服部が設置されているため、予備の被服部の場所がわかり難く且つ封印作業がし難いといった問題があった。
さらに、特許文献２に記載の封止機構は、予備の第２封止金具がポケット部に収納されているため封止作業がし難いという問題があった。
【特許文献１】特開２００３−１０３００６号公報
【特許文献２】特開２００５−１０２８３４号公報
【発明の開示】
【発明が解決しようとする課題】
【０００５】
本発明は、上記した従来の問題に鑑み、簡単に且つ間違いなく封止作業を行うことができる遊技機の基板ケースを提供することを課題とする。
【課題を解決するための手段】
【０００６】
上記の課題を解決するためになされた本発明の遊技機の基板ケースは、ケース本体と、このケース本体に前方にスライドして封止される蓋体とからなる遊技機の基板ケースにおいて、
蓋体の先端には、前方に向けて突出する嵌合部を設けて、この嵌合部に、垂直基板の両端から後方に向けて係止片を突設した封止部材と、前記係止片の間に上方から嵌入されてこの係止片を横方向に拡開する押圧部材とを配設するとともに、
相手のケース本体には、嵌合部が差し込まれる封止室を設けて、この封止室内に、差し込まれた押圧部材を下方に押し下げるための上側突起と、押圧部材の押し下げによって拡開された係止片と噛み合って蓋体をスライド不能に封止するための段差とを設けたうえ、
前記押圧部材に上側突起と係合可能な下側突起を設けて、この押圧部材を、下側突起が横向きの封止不可能状態から前向きの封止可能状態に切り替え可能なものとしたことを特徴とするものである。
【０００７】
また、本発明の遊技機の基板ケースは、ケース本体と、このケース本体に前方にスライドして装着される蓋体とからなる遊技機の基板ケースにおいて、
ケース本体の一端には、後方に向けて突出する嵌合部を設けて、この嵌合部に、垂直基板の両端から前方に向けて係止片を突設した封止部材と、前記係止片の間に上方から嵌入されてこの係止片を横方向に拡開する押圧部材とを配設するとともに、
相手の蓋体には、嵌合部が差し込まれる封止室を設けて、この封止室内に、差し込まれた押圧部材を下方に押し下げるための上側突起と、押圧部材の押し下げによって拡開された係止片と噛み合って蓋体をスライド不能に封止するための段差とを設けたうえに、
前記押圧部材に上側突起と係合可能な下側突起を設けて、この押圧部材を、下側突起が横向きの封止不可能状態から前向きの封止可能状態に切り替え可能なものとしたことを特徴とするものである。
【０００８】
上記した発明において、封止部材の係止片の内側には、この係止片拡開用の突起を設け、
押圧部材には、係止片の間に上方から嵌め込み可能な側面を有する角形胴部を設けて、
下側突起が前向き状態のときの角形胴部の左右の側面には、上方に向けて浅くなる傾斜面を有する凹溝を設けるとともに、
下側突起が前向き状態のときの角形胴部の前後の側面には、突起収納用の長溝を設けることができる。
【０００９】
また、嵌合部を、角柱が立設された底板を有するものとし、
押圧部材を、その中央部に角柱が挿通される孔部を有するものとしたうえに、
角柱には、位置決め用の面取り面を二つ設け、押圧部材の孔部には前記面取り面を摺動可能な角部を一つ設けて、
この角部を摺動させる面取り面を選択して角柱を孔部に差し込むことによって、押圧部材を横向きと前向きの２方向に切り替えて角柱に挿着可能とすることができる。
【００１０】
さらに、押圧部材の角形胴部に、位置決め用の面取り面を二つ設け、
封止部材の垂直基板と封止片とのコーナーには、前記面取り面を摺動可能な角部を設けて、
この角部を摺動させる面取り面を選択して押圧部材を封止部材に差し込むことによって、押圧部材を横向きと前向きの２方向に切り替えて封止部材に挿着可能とすることができる。
【発明の効果】
【００１１】
請求項１又は２に係る発明は、押圧部材の封止部材への挿着を、基板ケースの封止不可能な待機状態から封止可能な使用状態に切り替え可能としたので、使用状態に切り替える場合には押圧部材の向きを変えるだけで済むため、簡単な操作でケース本体に蓋体をスライド不能に封止することができる。
【００１２】
請求項３に係る発明は、押圧部材の使用状態では角形胴部の左右側面に設けた凹溝に収納した突起を、傾斜面上を摺動させて凹溝から脱出させることによって、左右側面が突起を押圧するので、封止部材の係止片を拡開することができる。一方、押圧部材の待機状態では角形胴部の前後側面に設けた長溝に突起は収納されたままに維持されるので、封止部材の係止片を拡開することはできない。
【００１３】
請求項４に係る発明は、角部を摺動させる面取り面を選択して角柱を孔部に差し込むことによって、押圧部材の向きを位置決めして角柱に挿着することができる。
【００１４】
請求項５に係る発明は、角部を摺動させる面取り面を選択して押圧部材を封止部材に差し込むことによって、押圧部材の向きを位置決めして封止部材に挿着することができる。
【発明を実施するための最良の形態】
【００１５】
以下に、本発明の実施形態を図に基づき説明する。
図１は、本発明の基板ケースを示す図であって、１はケース本体、２は前方にスライドしてケース本体１に装着される相手の蓋体、９は保護される回路基板である。ケース本体１は、一端に複数の封止室３が形成され、その反対側は側壁のない蓋体挿通部１１となしてある。側壁１２の内面には鈎部１３が設けられている。封止室３には蓋体挿通部１１に向けて開く開口部３１が形成されている。ケース本体１は、底面１４が螺着されることによって遊技板裏面に固定される。なお、本明細書において、前方とは蓋体２がスライドする方向をいい、後方とはその逆の方向をいい、横方向とは、当該前後の方向に対して水平に直交する方向をいうものとする。
【００１６】
蓋体２の一端には、前方に向けて突出する嵌合部５が複数形成されている。この嵌合部５は封止室３に嵌め込まれたときに、開口部３１を封鎖するための封止板５４と、封止室３の底部の型抜き口を塞ぐための底板５３とを有している。嵌合部５には、着脱可能な封止部材６と押圧部材７とが取付けられている。また、蓋体２の側面には、鈎部１３に差し込まれる突片２１が設けられている。
【００１７】
蓋体２の幅はケース本体１の側壁１２内を摺動可能に形成してあるので、ケース本体１に対して蓋体２をスライド移動させることができる。蓋体２を前方にスライドさせて突片２１を鈎部１３に差し込むことによって、蓋体２の上下方向の移動を規制することができる。また、嵌合部５を、開口部３１から封止室３内に差し込むことによっても、底板５３の先端が、封止室３に設けたスリット３９に差し込まれるので、蓋体２の上下方向の移動を規制することができる。
【００１８】
図２に、本発明の要部構造を示す。図において、一方の押圧部材７ａは下側突起７３が横向きの待機状態であるが、他方の押圧部材７ｂは下側突起７３が前方を向いた封止可能状態である。封止室３の内部には、上側突起３７が下側突起７３に対向して設けられ、開口部３１の左右には段差３８がもうけられている。
【００１９】
図３〜５に、嵌合部５の詳細を示す。嵌合部５は、底板５３と、これに垂直な封止板５４を有し、封止板５４に切断用の薄肉部５２が接続されている。底板５３には、封止部材６の挿着凹部５５と押圧部材７挿着用の角柱５６とが設けられている。この角柱５６は四角柱の隣り合う２コーナーが面取りされた不等辺六角形の横断面形状をしている。すなわち角柱５６は、待機時位置決め面５７と使用時位置決め面５８とを有している。底板５３の先端は、封止室３に設けたスリット３９に挿入しやすいように面取りされている。
【００２０】
図６〜８に、封止部材６の詳細を示す。封止部材６は、挿着軸５６の挿通孔６５が設けられた底板６１と、底板６１の一端に立設された垂直基板６２と、他端に立設されたガイド板６３とを有する。挿通孔６５は角柱５６に対応して不等辺六角形の孔である。垂直基板６２の両端には蓋体２のスライド方向とは逆向き、すなわち後方に突出された二枚の係止片６４が平行に設けられている。係止片６４の内側には係止片６４拡開用の突起６６が設けられている。突起６６の上部は斜めに面取りされている。また、突起６６は、後方に向けて横方向の突出量を大ききしてある。この封止部材６は、底面６１が挿着凹部５５に嵌め込まれて嵌合部５に取付けられている。
【００２１】
押圧部材７の詳細を、図９〜１２に示す。押圧部材７は、概略形状四角柱の角形胴部７１を有し、角形胴部７１の上には傾斜面７２を有する下側突起７３が二つ左右に離間して設けられている。角形胴部７１の左右の側面７４で下側突起７３の下方には、突起６６を収納可能な凹溝７５が設けられ、この凹溝７５は上方に向けて浅くなる傾斜面７６を有している。角形胴部７１の前後の側面７７には、押圧部材７を待機状態に保持しておくための長溝７８が形成されている。また、角形胴部７１は挿着軸５６が挿通される孔部７９を有し、この孔部７９には位置決め用の角部８０が形成されている。すなわち孔部７９は不等辺５角形の横断面形状である。なお、孔部７９は、貫通孔でも止まり孔でもよい。
【００２２】
封止室３の詳細を、図１３〜１６に示す。封止室３は、開口部３１と反対側の正面側壁３３と、左右の側面３４と上面３５とを有し、底部には、成形型を抜くために形成される型抜き口３２を有する。封止室３の内部の上面３５には、開口部３１側に傾斜面３６を有する上側突起３７が左右に離間して二つ設けられている。なお、傾斜面３６及び傾斜面７２の傾き角は、蓋体２の前進力を直角の下方に変更するので、４５°が最適である。さらに、側面３４の内側には、拡開された係止片６４と噛み合って係止するための段差３８が形成されている。
【００２３】
以上のように構成された基板ケースにおいて、待機状態である押圧部材７ａは、傾斜面７２が横向きに角柱５６に挿着されている（図２）。この状態では、角部８０は待機時位置決め面５７に接触している。そして、ケース本体１を蓋体２で封止するには、傾斜面７２を横向きとした待機状態の押圧部材７を封止部材６から取り外して前向きに方向転換し（図１７）、図２の押圧部材７ｂの如く傾斜面７２を前向きとして再び封止部材６に軽く差し込む。この状態では押圧部材７ｂは角部８０が使用時位置決め面５８に接触して角柱５６に挿着されて前向きに位置決めされている。
【００２４】
次いで嵌合部５先端を封止室３の内部に差し込んで、ケース本体１に対して蓋体２をスライド移動させ、上側突起３７に下側突起７３を当接させる（図１８〜２１）。この状態では、突起６６の上面が凹溝７５の傾斜面７６に接触した状態であって（図２０）、押圧部材７と封止部材６の底面６１との間には隙間Ｓが残存し、封止室３の正面側壁３３と封止部材６の垂直基板６２との間には隙間Ｔが残存している（図２１）。押圧部材７の側面７４によって突起６６は横方向に押圧されてはおらず（図２０）、よって、係止片６６は拡開されてはいない（図１９）。
【００２５】
蓋体２をさらにスライドさせて、嵌合部５を封止室３に完全に差し込むと（図２２〜２５）、封止部材６の垂直基板６２が封止室３の正面側壁３３に当接するとともに、開口部３１は封止板５４によって密閉される（図２５）。また、型抜き口３２は底板５３によって密閉される。下側突起７３は、上側突起３７によって前進を阻まるので、傾斜面７２が上側突起３７の傾斜面３６上を摺動して押圧部材７は下方に押し下げられることになる。これによって、押圧部材７はその底面が底板６１に着底する。
【００２６】
この着底した状態では、凹溝７５の傾斜面７６に当接していた突起６６は、傾斜面７６を上方に摺動して凹溝７５から抜け出し、側面７４によって横に押圧されることになる（図２６）。この押圧によって、係止片６４は横方向に拡開されて、その先端が段差３８と噛み合って係止される（図２３、２６）。よって、嵌合部５を封止室３から引き抜こうとしても、係止片６４先端が段差３８に引っかかることになるので、引き抜くことはできない。また、突起６６は、後方に向けて横方向の突出量を大ききしてあるので、嵌合部５を引き抜こうとすると、係止片６４に掛かる拡開力がさらに大きくなることとなる。したがって、蓋体２の前後方向のスライドを不可能にして、基板ケースを封止することができる。
【００２７】
封止を解除するためには、薄肉部５２を切断する必要がある。通常は、図２９に示すように、ケース本体１側に封止室３が４個、蓋体２側に嵌合部５が４個設けられていて、４回の封止と解除とを繰り返すことができる。なお、これらのケース本体１、蓋体２、封止室３、嵌合部５を、透明のものとすることによって、内部の構造や封止状態を視認することができる。
【００２８】
以上は、ケース本体１に封止室３を設け、蓋体２に嵌合部５を設けた実施例を説明したが、ケース本体１に嵌合部５を設け、蓋体２に封止室３を設けることもできる。すなわち、ケース本体１の一端には、後方に向けて突出する嵌合部５を設けて、この嵌合部５に、垂直基板６２の両端から前方に向けて係止片６４を突設した封止部材６と、前記係止片６４の間に上方から嵌入されてこの係止片６４を横方向に拡開する押圧部材７とを、配設する。相手の蓋体２には、嵌合部５が差し込まれる封止室３を設けて、この封止室３内に、差し込まれた押圧部材７を下方に押し下げるための上側突起３７と、押圧部材７の押し下げによって拡開された係止片６４と噛み合ってして蓋体２をスライド不能に封止するための段差３８とを、設けることによっても、既記したものと同様な効果を得ることができる。
【００２９】
図２８、２９に、上記したものとは別の形態の基板ケースの封止構造を示す。この形態のものにおいては、封止室３には下向き突起３７が一つ設けられている。そして、押圧部材７にはこの下向き突起３７に対向する傾斜面７２を有する上向き突起７３が形成されている。なお、上向き突起７３の間には待機時に下向き突起３７を挿通するための切り溝８１が形成されている。胴部７１の左右の側面には、係止片拡開用の突起８２が設けられており、これに対応して、係止片６４には凹溝６９が形成されている、この凹溝６９は下部に、下方に向けて浅くなる傾斜面６９ａを有している。すなわち突起８２がこの傾斜面６９ａを下方に摺動することによって、係止片６４は横に拡開されるので、段差３８と噛み合うことができる。なお、図中の５７は、待機時位置決め面であり、５８は、使用時位置決め面であって、これらは角部８０と接することによって、下側突起７３の向きを前方向と右方向との２方向にのみ決定する。
【図面の簡単な説明】
【００３０】
【図１】封止前の基板ケースの斜視図である。
【図２】封止前の基板ケースの封止構造の内部を透視して示す斜視図である。
【図３】嵌合部の斜視図である。
【図４】嵌合部の平面図である。
【図５】嵌合部の側面図である。
【図６】封止部材の斜視図である。
【図７】封止部材の平面図である。
【図８】封止部材の正面図である。
【図９】押圧部材の斜視図である。
【図１０】押圧部材の正面図である。
【図１１】押圧部材の平面図である。
【図１２】押圧部材の側面図である。
【図１３】封止室の斜視図である。
【図１４】封止室の斜視図である。
【図１５】封止室の斜視図である。
【図１６】封止室の底面図である。
【図１７】基板ケースの封止構造の斜視図である。
【図１８】封止直前の基板ケースの封止構造の側面図である。
【図１９】図１８のＡ−Ａ線における封止構造の水平断面図である。
【図２０】図１９のＢ−Ｂ線における封止構造の垂直断面図である。
【図２１】図１９のＣ−Ｃ線における封止構造の垂直断面図である。
【図２２】封止完了した基板ケースの封止構造の側面図である。
【図２３】図２２のＤ−Ｄ線における封止構造の水平断面図である。
【図２４】図２３のＥ−Ｅ線における封止構造の垂直断面図である。
【図２５】図２３のＦ−Ｆ線における封止構造の垂直断面図である。
【図２６】封止完了した基板ケースの封止構造の内部を透視して示す斜視図である。
【図２７】封止状態の基板ケースを示す斜視図である。
【図２８】別の形態の基板ケースの封止構造を示す分解斜視図である。
【図２９】押圧部材が前向きである封止構造の分解斜視図である。
【符号の説明】
【００３１】
３  封止室、５  嵌合部、６  封止部材、７  押圧部材、７ａ  横向きの押圧部材、７ｂ  前向きの押圧部材、３７  上側突起、３８  段差、６２  垂直基板、６４  係止片、
【図１】
0005023289.tif 000002
【図２】
0005023289.tif 000003
【図３】
0005023289.tif 000004
【図４】
0005023289.tif 000005
【図５】
0005023289.tif 000006
【図６】
0005023289.tif 000007
【図７】
0005023289.tif 000008
【図８】
0005023289.tif 000009
【図９】
0005023289.tif 000010
【図１０】
0005023289.tif 000011
【図１１】
0005023289.tif 000012
【図１２】
0005023289.tif 000013
【図１３】
0005023289.tif 000014
【図１４】
0005023289.tif 000015
【図１５】
0005023289.tif 000016
【図１６】
0005023289.tif 000017
【図１７】
0005023289.tif 000018
【図１８】
0005023289.tif 000019
【図１９】
0005023289.tif 000020
【図２０】
0005023289.tif 000021
【図２１】
0005023289.tif 000022
【図２２】
0005023289.tif 000023
【図２３】
0005023289.tif 000024
【図２４】
0005023289.tif 000025
【図２５】
0005023289.tif 000026
【図２６】
0005023289.tif 000027
【図２７】
0005023289.tif 000028
【図２８】
0005023289.tif 000029
【図２９】
0005023289.tif 000030